(57)【要約】渦トンネルを備えた吸入器  吸入器物品は、マウスピース端から遠位端に長軸方向軸に沿って延びる本体を含み、遠位端にエンドピース要素を有する。カプセル空洞は本体内に画定されていて、長軸方向軸に沿って延びる。マウスピース空気チャネルは、カプセル空洞からマウスピース端に延びる。渦トンネルは、エンドピース要素とカプセル空洞の間にある。渦トンネルは、空気吸込み口および空気吸込み口からカプセル空洞に延びる空気通路を有する。エンドピース要素は、遠位端を通るカプセル空洞への気流を制限または防止するように構成されていて、渦トンネルの空気吸込み口および空気通路は、カプセル空洞内に空気が引き出されることを可能にして、カプセル空洞を通した吸入空気の渦を形成するように構成されている。【選択図】図２
2021509297.tif 000002
【特許請求の範囲】
【請求項１】
吸入器物品であって、
マウスピース端から遠位端に長軸方向軸に沿って延びる本体と、
前記遠位端にあるエンドピース要素と、
前記本体内に画定された、かつ前記長軸方向軸に沿って延びるカプセル空洞と、
前記カプセル空洞から前記マウスピース端に延びるマウスピース空気チャネルと、
前記エンドピース要素と前記カプセル空洞の間の渦トンネルであって、前記渦トンネルが空気吸込み口および前記空気吸込み口から前記カプセル空洞に延びる空気通路を有する渦トンネルとを備え、
前記エンドピース要素が、前記遠位端を通る前記カプセル空洞への気流を制限または防止するように構成されていて、
前記渦トンネルの前記空気吸込み口および空気通路が、前記カプセル空洞内に空気が引き出されることを可能にして、前記カプセル空洞を通した吸入空気の渦を形成するように構成されている、吸入器物品。
【請求項２】
前記渦トンネルの前記空気通路が前記渦トンネルの内径によって画定されていて、前記内径が前記本体の内径より小さい、請求項１に記載の吸入器物品。
【請求項３】
前記カプセル空洞と前記マウスピース空気チャネルの間に多孔性要素を備える、請求項１または請求項２に記載の吸入器物品。
【請求項４】
前記マウスピース空気チャネルおよび多孔性要素が第一の本体部分内に包含されていて、前記カプセル空洞、渦トンネルおよびエンドピースが第二の本体部分内に包含されていて、前記第一の本体部分が前記第二の本体部分と直列に軸方向に整列されていて、ラッパーが前記第一の本体部分を覆い前記第二の本体部分に接合する、請求項３に記載の吸入器物品。
【請求項５】
前記エンドピース要素が、約１００水柱ｍｍよりも大きい引き出し抵抗（ＲＴＤ）を有する、請求項１〜４のいずれか一項に記載の吸入器物品。
【請求項６】
前記エンドピース要素が、セルロースおよびアセテート、繊維およびトウ、ならびにビスコース紙のうちの少なくとも一つで形成されている、請求項１〜５のいずれか一項に記載の吸入器物品。
【請求項７】
前記渦トンネルが、前記本体の前記内径に接触する外径と、前記渦トンネルの前記外径または前記本体の前記内径の約５０％〜約３５％の範囲の内径とを有する、請求項１〜６のいずれか一項に記載の吸入器物品。
【請求項８】
前記渦トンネルが、前記空気通路と連通する二つの空気吸込み口を備える、請求項１〜７のいずれか一項に記載の吸入器物品。
【請求項９】
前記渦トンネルが、開いた円筒を画定し、前記空気通路が前記開いた円筒の前記軸に沿って実質的に同軸に延び、前記渦トンネルが前記開いた円筒の前記内径の接線にて前記開いた円筒に入る二つの対向する空気吸込み口を備える、請求項１〜８のいずれか一項に記載の吸入器物品。
【請求項１０】
前記本体が、実質的に円筒の形状と、前記遠位端から前記マウスピース端まで実質的に一定である外径とを有し、前記外径が約６ｍｍ〜約１０ｍｍ、または約７ｍｍ〜約８ｍｍの範囲内であることが好ましい、請求項１〜９のいずれか一項に記載の吸入器物品。
【請求項１１】
前記エンドピース要素が、前記本体の前記長軸方向軸に沿って約５ｍｍ〜約１０ｍｍの範囲の長さだけ長軸方向に延び、前記渦トンネルが前記本体の前記長軸方向軸に沿って約５ｍｍ〜約１０ｍｍの範囲の長さだけ長軸方向に延びる、請求項１〜１０のいずれか一項に記載の吸入器物品。
【請求項１２】
請求項１〜１１のいずれか一項に記載の吸入器物品と、前記吸入器物品の前記カプセル空洞内に配置されたカプセルとを備え、前記カプセルが粒子を含有し、前記粒子が、約５マイクロメートル以下、または約０．５マイクロメートル〜約４マイクロメートルの範囲、または約１マイクロメートル〜約３マイクロメートルの範囲の空気動力学的中央粒子径を有する、吸入器システム。
【請求項１３】
前記カプセルがニコチンを含む粒子を含有する、請求項１２に記載のシステム。
【請求項１４】
前記カプセルが、約２０マイクロメートル以上、または約５０マイクロメートル以上、または約５０〜約２００マイクロメートルの範囲、または約５０〜約１５０マイクロメートルの範囲の空気動力学的中央粒子径を有する風味剤粒子の第二の集団をさらに含有する、請求項１２または請求項１３に記載のシステム。
【請求項１５】
前記システムが、前記カプセルを有効化するために前記吸入器物品と取り外し可能なように係合可能な貫通要素をさらに備え、前記エンドピース要素が、前記カプセルを有効化する時に前記貫通要素によって貫通されるように構成されている、請求項１２〜１４のいずれか一項に記載のシステム。
【発明の詳細な説明】
【技術分野】
【０００１】
本開示は、カプセル空洞の上流に渦トンネルを含む吸入器物品に関する。
【背景技術】
【０００２】
乾燥粉末吸入器は、従来の喫煙方法の吸入量または気流量の範囲内の吸入量または気流量で乾燥粉末粒子を肺に提供するために常に完全に適切なわけではない。乾燥粉末吸入器は操作するのに複雑である、またはそれには可動部品が関与する場合がある。乾燥粉末吸入器は多くの場合、一回の呼吸で乾燥粉末用量の全部を提供しようとする。加えて、これらの複雑な乾燥粉末吸入器は、高速で製造することが困難である。
【０００３】
現在の紙巻たばこの構成を形成する材料で形成される吸入器物品を提供することが望ましい。高速で組み立てられうる吸入器物品を提供することが望ましい。また、従来の紙巻たばこと類似した、持ちやすくユーザーに馴染みのある形態を有する吸入器物品を提供することが望ましい。また、消費者によって便利に使用される吸入器物品を提供することが望ましい。
【発明の概要】
【０００４】
本開示の様々な態様は、カプセル空洞の上流または遠位に渦トンネルを有する吸入器物品に関する。渦トンネルは、吸入器のカプセル空洞を通して吸入気流の渦巻きを誘発するまたは渦を誘発するように構成されている。吸入気流の渦巻きまたは渦は、カプセル空洞内に存在するカプセルの回転を誘発する。吸入空気は、吸入器物品の本体を通して渦トンネルに入る。
【０００５】
本開示の一態様において、吸入器物品は、マウスピース端から遠位端に長軸方向軸に沿って延びる本体を含み、遠位端にエンドピース要素を有する。カプセル空洞は本体内に画定されていて、長軸方向軸に沿って延びる。マウスピース空気チャネルは、カプセル空洞からマウスピース端に延びる。渦トンネルは、エンドピース要素とカプセル空洞の間にある。渦トンネルは、空気吸込み口および空気吸込み口からカプセル空洞に延びる空気通路を有する。エンドピース要素は、遠位端を通るカプセル空洞への気流を制限または防止するように構成されていて、渦トンネルの空気吸込み口および空気通路は、カプセル空洞内に空気が引き出されることを可能にして、カプセル空洞を通した吸入空気の渦を形成するように構成されている。
【０００６】
本開示の別の態様において、吸入器システムは、本明細書に記載の吸入器物品と、吸入器物品のカプセル空洞内に配置されたカプセルとを含む。カプセルは、約１５マイクロメートル以下の空気動力学的中央粒子径、または１０マイクロメートル以下の空気動力学的中央粒子径、または５マイクロメートル以下の空気動力学的中央粒子径、または約０．５マイクロメートル〜約１５マイクロメートルの範囲内、または約１マイクロメートル〜約１０マイクロメートルの範囲内、または約５マイクロメートル〜約１０マイクロメートルの範囲内の空気動力学的中央粒子径を有する粒子を含有する。
【０００７】
一つ以上の態様において、渦トンネルの空気通路は、渦トンネルの内径によって画定されうる。渦トンネルの内径は、吸入器物品の本体の内径よりも小さくてもよい。
【０００８】
一つ以上の態様において、多孔性要素は、カプセル空洞とマウスピース空気チャネルの間に提供されうる。
【０００９】
エンドピース要素は、空気が遠位端から吸入器物品に入るのを実質的に防止または阻止しうる。一部の実施形態において、エンドピース要素は、空気が遠位端を通って吸入器物品に入るのを防止しうる。一つ以上の態様において、エンドピース要素は、約３０水柱ｍｍを超える、または約５０水柱ｍｍを超える、または約７５水柱ｍｍを超える、または１００水柱ｍｍを超える、または２００水柱ｍｍを超える、または３０水柱ｍｍ〜１００水柱ｍｍの範囲の引き出し抵抗（ＲＴＤ）を有しうる。
【００１０】
エンドピース要素は任意の適切な材料で形成されうる。一つ以上の態様において、エンドピース要素は、セルロースまたはアセテート、繊維またはトウ、またはビスコース紙のうちの少なくとも一つで形成されうる。一つ以上の態様において、エンドピース要素は、セルロースまたはセルロースアセテートなどのセルロース系材料で形成されうる。こうしたエンドピース要素は、約３０水柱ｍｍを超える、または約５０水柱ｍｍを超える、または約７５水柱ｍｍを超える、または１００水柱ｍｍを超える、または約２００水柱ｍｍを超える、または３０水柱ｍｍ〜１００水柱ｍｍの範囲の引き出し抵抗（ＲＴＤ）を有しうる。
【００１１】
一つ以上の態様において、渦トンネルは、吸入器物品の本体の内径と接触する外径を有する。渦トンネルの内径は、渦トンネルの外径もしくは吸入器物品の本体の内径の約６０％〜約２５％の範囲であってもよく、または内径は、渦トンネルの外径もしくは吸入器物品の本体の内径の約５０％〜約３５％の範囲であってもよい。渦トンネルは、渦トンネルの内径よりも大きい長さを有しうる。
【００１２】
渦トンネルは、空気通路と連通する任意の適切な数の空気吸込み口を備えうる。例えば、渦トンネルは、一つ、二つ、三つ、または四つの空気吸込み口を備えうる。一つ以上の態様において、渦トンネルは、空気通路と連通する二つの空気吸込み口を含みうる。
【００１３】
一つ以上の態様において、渦トンネルは開いた円筒を画定する。空気通路は、開いた円筒の軸に沿って実質的に同軸に延びてもよい。これらの態様の一部において、渦トンネルは、開いた円筒の内径の接線にて、開いた円筒に入る二つの対向する空気吸込み口を含む。  空気吸込み口は、吸入器物品の反対側に配設されうる。空気吸込み口はまた、渦トンネルおよび吸入器物品のうちの少なくとも一つの中央長軸方向軸の反対側に配設されている軸に沿って実質的に延びうる。
【００１４】
一つ以上の態様において、マウスピース空気チャネルおよび多孔性要素は、吸入器物品の第一の本体部分内に包含されてもよく、カプセル空洞、渦トンネルおよびエンドピースは、吸入器物品の第二の本体部分内に包含されてもよい。第一の本体部分は、第二の本体部分と直列に軸方向に整列されうる。ラッパーは、第一の本体部分を覆い、第二の本体部分に接合しうる。
【００１５】
一つ以上の態様において、吸入器物品の本体は、遠位端からマウスピース端まで実質的に一定でありうる外径を有する。本体の外径は、約６ｍｍ〜約１０ｍｍ、または約７ｍｍ〜約８ｍｍの範囲であってもよい。
【００１６】
一つ以上の態様において、エンドピースは、吸入器物品の本体の長軸方向軸に沿って長軸方向に延びうる。エンドピースは、約５ｍｍ〜約１０ｍｍの範囲の長さを有してもよく、渦トンネルは、本体の長軸方向軸に沿って約５ｍｍ〜約１０ｍｍの範囲の長さだけ長軸方向に延びてもよい。
【００１７】
一つ以上の態様において、システムは、ニコチンを含む粒子を含有するカプセルを含みうる。
【００１８】
一つ以上の態様において、システムは、風味粒子の第二の集団をさらに含有するカプセルを含みうる。
【００１９】
一つ以上の態様において、システムは、カプセルを有効化するために吸入器物品と取り外し可能なように係合可能な貫通要素をさらに含みうる。本明細書で使用される、カプセルを「有効化する」という用語は、カプセル内に含有された粒子が放出されるのを可能にするために、貫通することなどによって、カプセルを開放することを指す。エンドピース要素は、カプセルを有効化する時に貫通要素によって貫通されるように構成されうる。
【００２０】
有利なことに、吸入器物品は、従来の紙巻たばこを組み立てるために使用される材料で形成されうる。加えて、吸入器物品は、従来の紙巻たばこと類似した形態を画定する。これは、吸入器物品の高速組立または製造を可能にしうる。有利なことに、カプセルの回転は、消費者による２回以上、または５回以上、または１０回以上の吸入もしくは「吸煙」にわたって、カプセルからのニコチン粒子の一部分または一分画の均一な混入を提供しうる。有利なことに、吸入器物品は生分解性材料で形成されうる。
【００２１】
本明細書に記載の吸入器物品は、従来の喫煙方法の吸入量または気流量の範囲内の吸入量または気流量で乾燥粉末を肺に提供してもよい。消費者は、各々の「吸煙」が、カプセル空洞内に包含されたカプセルの中に含まれる乾燥粉末の部分量を送達する、複数の吸入もしくは「吸煙」を行ってもよい。この吸入器物品は、従来の紙巻たばこと類似した形態を有してもよく、従来の喫煙の決まったやり方を真似てもよい。この吸入器は、製造するのが単純で、かつ消費者が使用するのに好都合でありうる。
【００２２】
カプセル空洞を通した気流管理は、吸入中および消費中にカプセルを回転させてもよい。カプセルは、ニコチンを含むニコチン粒子（「ニコチン粉末」または「ニコチン粒子」とも呼ばれる）、および随意に、風味を含む粒子（「風味粒子」とも呼ばれる）を包含する。貫通されたカプセルの回転は、貫通されたカプセルから吸入器物品を通して移動する吸入空気中に放出されたニコチン粒子を懸濁およびエアロゾル化してもよい。風味粒子は、ニコチン粒子よりも大きくてもよく、またニコチン粒子をユーザーの肺に送るのを助け、一方で風味粒子はユーザーの口または口腔に優先的に残る。ニコチン粒子および随意の風味粒子は従来の喫煙方法の吸入量または気流量の範囲内の吸入量または気流量で、吸入器物品で送達されてもよい。
【００２３】
「引き出し抵抗」または「ＲＴＤ」という用語は、体積流量が出力端で１７．５ミリリットル／秒である安定した条件下での空気の流れによって横断された時の、標本の二つの端部間の静的圧力差を指す。標本のＲＴＤは、ＩＳＯ規格６５６５：２００２に記載の方法を使用して測定できる。
【００２４】
「ニコチン」という用語は、ニコチンおよびニコチン誘導体（例えば、遊離塩基ニコチン、ニコチン塩、ならびにこれに類するものなど）を意味する。
【００２５】
「風味剤」または「風味」という用語は、その消費中または吸入中にニコチンの味覚特性または芳香特性を変化させる、また変化させるよう意図されている、感覚刺激性の化合物、組成物、または材料を意味する。「風味剤」または「風味」という用語は、風味抽出物製造業組合（ＦＥＭＡ）の風味成分ライブラリに開示された化合物、および特にＧＲＡＳ風味付け物質に関する出版物３〜２７（例えば、Ｈａｌｌ，  Ｒ．Ｌ．  ＆  Ｏｓｅｒ，  Ｂ．Ｌ．，  Ｆｏｏｄ  Ｔｅｃｈｎｏｌｏｇｙ，  Ｆｅｂｒｕａｒｙ  １９６５  ｐｇ  １５１−１９７）、ＧＲＡＳ風味付け物質２７（Ｓ．Ｍ．  Ｃｏｈｅｎ  ｅｔ  ａｌ．，  Ｆｏｏｄ  Ｔｅｃｈｎｏｌｏｇｙ  Ａｕｇ．  ２０１５  ｐｇ．  ４０−５９）、および介在するＧＲＡＳ風味付け物質に関する出版物４〜２６に開示された化合物を意味することが好ましい。本開示の目的において、ニコチンは風味剤または風味としては考えられない。
【００２６】
本明細書に記載の吸入器物品は、貫通要素または貫通装置と組み合わされて、ニコチン粒子を消費者に送達しうる。貫通要素または貫通装置は吸入器物品の一部分から分離されてもよく、または吸入器物品の一部を形成しなくてもよい。複数のこれらの吸入器物品は貫通要素または貫通装置と組み合わせられて、キットを形成してもよい。
【００２７】
本開示による吸入器物品は、マウスピース端から遠位端に長軸方向軸に沿って延びる本体を含む。エンドピース要素は遠位端に位置する。カプセル空洞は本体内に画定されていて、長軸方向軸に沿って延びる。マウスピース空気チャネルは、カプセル空洞からマウスピース端に延びる。渦トンネルは、エンドピース要素とカプセル空洞の間にある。渦トンネルは、空気吸込み口および空気吸込み口からカプセル空洞に延びる空気通路を有する。エンドピース要素は、遠位端を通るカプセル空洞への気流を制限または防止するように構成されていて、渦トンネルの空気吸込み口および空気通路は、カプセル空洞内に空気が引き出されることを可能にして、カプセル空洞を通した吸入空気の渦を形成するように構成されている。
【００２８】
吸入器物品の本体、または「吸入器本体」は、任意の適切な形状を有しうる。吸入器本体は細長くてもよい。言い換えれば、吸入器本体は、吸入器本体のその他の寸法よりも実質的に大きい長さを有しうる。吸入器本体は、その長さに沿って実質的に均一な外径を有してもよい。吸入器本体は、任意の適切な横断面形状を有しうる。例えば、横断面は、円形、楕円形、正方形、または長方形でありうる。吸入器本体は、細長い円筒状の本体を形成する吸入器本体の長さに沿って均一でありうる円形断面を有してもよい。
【００２９】
吸入器物品の本体、または「吸入器本体」は、サイズおよび形状が喫煙物品または従来の紙巻たばこに似ていてもよい。吸入器本体は、吸入器物品の長軸方向軸に沿って延びる細長い円筒状の本体を有してもよい。吸入器本体は、細長い円筒状の本体の長さに沿って実質的に均一な外径を有してもよい。吸入器本体は、細長い円筒状の本体の長さに沿って均一であってもよい円形断面を有してもよい。
【００３０】
吸入器本体は、約６ｍｍ〜約１０ｍｍ、または約７ｍｍ〜約１０ｍｍ、または約７ｍｍ〜約９ｍｍの範囲内、または約８ｍｍの外径を有してもよい。吸入器本体は、約４０ｍｍ〜約１００ｍｍ、または約５０ｍｍ〜約８０ｍｍ、または約６０ｍｍ〜約８０ｍｍの範囲内、または６５ｍｍの（長軸方向軸に沿った）長さを有してもよい。
【００３１】
吸入器本体は、高分子もしくはセルロース系材料、または任意のその他の適切な材料で形成されうる。吸入器本体は、生分解性材料で形成されてもよい。吸入器本体は、板紙または厚紙で形成されてもよい。吸入器本体は、その長さに沿って均一な厚さを有しうる。吸入器本体は、約１ｍｍ〜約２ｍｍの範囲の厚さを有しうる。
【００３２】
吸入器本体は、本体がエンドピース要素からマウスピース端に連続的に延びる一体構造を形成しうる。エンドピース要素、渦トンネル、カプセル空洞（および存在する場合はカプセル）、多孔性要素およびマウスピース空気チャネルは、吸入器本体内に直列に配置されてもよい。言い換えれば、エンドピース要素、渦トンネル、カプセル空洞（および存在する場合はカプセル）、多孔性要素およびマウスピース空気チャネルは、吸入器本体の長軸方向軸に沿って端と端を接して配設されてもよい。
【００３３】
吸入器本体は、第一の部分と第二の部分の二つの部分で形成されうる。第一の部分および第二の部分は、直列に隣接する関係で軸方向に整列されて、またひとまとめにされて吸入器本体を形成してもよい。ラッパーは、第一の部分と第二の部分をひとまとめにするために利用されうる。ラッパーは生分解性材料であってもよい。ラッパーは紙ラッパーであってもよい。
【００３４】
第一の部分は、マウスピースまたはマウスピース空気チャネル、および存在する場合には多孔性要素を含みうる。第二の部分は、カプセル空洞（および存在する場合はカプセル）、渦トンネル、およびエンドピース要素を含みうる。
【００３５】
一部の実施形態において、吸入器本体は、３つの部分、または４つ以上の部分で形成されうる。３つの部分、または４つ以上の部分は、直列に隣接する関係で軸方向に整列されて、またひとまとめにされて吸入器本体を形成してもよい。ラッパーは、３つの部分または４つ以上の部分をひとまとめにするために利用されうる。
【００３６】
エンドピース要素は、吸入器本体の遠位端またはエンドピース端内に配置されてもよい。エンドピース要素は、吸入器物品の本体の遠位端またはエンドピース端を通る気流を制限または防止するように構成されている。エンドピース要素は、以下に説明する通り、空気がエンドピース要素を通って流れるよりも優先的に、気流が本体の側壁に沿って空気吸込み口を通って吸入器本体に入ることを促進するように構成されている。
【００３７】
空気が遠位端を通って一部の吸入器本体に入ることをエンドピース要素が許容する場合、エンドピース要素は概して高い引き出し抵抗（ＲＴＤ）を有する。エンドピース要素は、約３０水柱ｍｍを超えるＲＴＤ、または約５０水柱ｍｍを超えるＲＴＤ、または約７５水柱ｍｍを超えるＲＴＤ、または１００水柱ｍｍを超えるＲＴＤ、または約２００水柱ｍｍを超えるＲＴＤ、または３０水柱ｍｍ〜１００水柱ｍｍの範囲のＲＴＤを有しうる。
【００３８】
エンドピース要素は、吸入器本体の長軸方向軸に沿って長軸方向に延びてもよい。エンドピース要素は、約５ｍｍ〜約１０ｍｍの範囲の長さを有しうる。
【００３９】
エンドピース要素は任意の適切な材料で形成されうる。例えば、エンドピース要素はビスコース紙で形成されてもよい。エンドピース要素は、トウ材料を形成する繊維、またはトウ材料のプラグで形成されてもよい。エンドピース要素は、生分解性材料で形成されてもよい。エンドピース要素は、セルロースまたはセルロースアセテートで形成されうる。エンドピース要素はアセテートトウで形成されてもよい。エンドピース要素はセルローストウで形成されてもよい。エンドピース要素はアセテートとセルロースのトウで形成されてもよい。エンドピース要素はセルロースおよびビスコース紙で形成されてもよい。
【００４０】
エンドピース要素は、吸入器物品本体の遠位端を占めうる材料の円筒状プラグを形成しうる。この円筒状プラグの材料はトウ材料であってもよい。円筒状プラグの材料は、セルロースまたはセルロースアセテート材料であってもよい。円筒状プラグの材料は、アセテートトウであってもよい。円筒状プラグの材料は、セルローストウであってもよい。円筒状プラグの材料は、アセテートとセルロースのトウであってもよい。円筒状プラグの材料は、セルロースおよびビスコース紙であってもよい。一つ以上の態様において、エンドピース要素は、セルロースまたはアセテート、繊維またはトウ、またはビスコース紙で形成されうる。
【００４１】
エンドピース要素は貫通可能であってもよい。剛直な細長い針などの貫通要素は、エンドピース要素を貫通し渦トンネルを通過して、カプセル空洞内のカプセルに接触し、カプセル内に穴を形成しうる。次に、カプセル内に含有された粒子は、吸入器物品の使用中に貫通要素によって形成された穴を出ることができる。一部の実施形態において、貫通要素がエンドピース要素から引き出されると、エンドピース要素は少なくとも部分的に再び封じられうる。
【００４２】
渦トンネルは、エンドピース要素とカプセル空洞の間に位置付けられている。渦トンネルは、エンドピース要素に隣接してもよい。渦トンネルは、軸方向に整列されて、かつエンドピース要素と直列に配設されてもよい。渦トンネルは、カプセル空洞の上流端または遠位端または境界を形成しうる。
【００４３】
渦トンネルは、吸入器のカプセル空洞を通して吸入気流の渦巻きを誘発するまたは渦を誘発するように構成されている。吸入気流のこの渦巻きまたは渦は、カプセル空洞内に存在するカプセルの回転を誘発する。
【００４４】
渦トンネルは、空気通路が円筒の軸に沿って実質的に同軸に延びる、開いた円筒を画定しうる。この開いた円筒の軸は、吸入器物品本体の長軸方向軸と同延であってもよい。渦トンネルは、吸入器物品本体の長軸方向軸に沿って、渦トンネルの内径よりも大きい長さだけ長軸方向に延びうる。
【００４５】
渦トンネルは、空気通路と流体連通している空気吸込み口を含む。空気通路は、開いた円筒の内部通路を画定しうる。空気通路は、内径または渦トンネルによって画定されている。渦トンネルの内径は、吸入器本体の内径よりも小さい。空気吸込み口は、空気が吸入器物品の外側から空気通路または開いた円筒に入るための開口を提供する。空気吸込み口は、渦トンネルの側壁（または厚さ）を通って延びてもよい。一部の実施形態において、空気吸込み口は、吸入器物品の本体を通って延びる。  一部の実施形態において、吸入器物品の本体はまた、空気吸込み口を備える。吸入器物品の本体の空気吸込み口は、渦トンネルの空気吸込み口と整列しうる。渦トンネルが複数の空気吸込み口を備える場合、吸入器物品の本体は相補的な数の空気吸込み口を備えてもよく、吸入器本体の各空気吸込み口は、渦トンネルの空気吸込み口と整列または登録されている。
【００４６】
渦トンネルは、本体の内径と接触する外径を有しうる。渦トンネルは、渦トンネルの外径もしくは本体の内径の約６０％〜約２５％の範囲の内径を有してもよく、または内径は、渦トンネルの外径もしくは本体の内径の約５０％〜約３５％の範囲であってもよい。渦トンネルは、渦トンネルの内径よりも大きい長さを有しうる。言い換えれば、渦トンネルの内径は、渦トンネルの外径と比較して狭くてもよく、または薄くてもよい。
【００４７】
渦トンネルは、吸入器物品本体の内径と実質的に等しい外径を有しうる。渦トンネルは、カプセル空洞内に配置されたカプセルの外径よりも小さい内径を有してもよい。渦トンネルは、約７ｍｍ〜約８ｍｍの外径を有しうる。渦トンネルは、約２ｍｍ〜約４．５ｍｍ、または約３ｍｍ〜約４ｍｍの内径を有しうる。渦トンネルは、約２ｍｍ〜約３ｍｍの範囲の壁厚を有しうる。渦トンネルは、吸入器物品本体の長軸方向軸に沿って約５ｍｍ〜約１０ｍｍの範囲の長さだけ長軸方向に延びてもよい。
【００４８】
空気吸込み口は、表面（渦トンネルの内径）および空気通路のうちの少なくとも一つの接線にて、渦トンネルの空気通路に合流するまたは入ってもよい。特に、空気吸込み口は、吸入器本体の軸の接線にて実質的に延びうる。渦トンネルは、空気通路と連通している二つの空気吸込み口を含んでもよい。渦トンネルは、開いた円筒の内径の接線にて、開いた円筒に入る二つの対向する空気吸込み口を含みうる。開いた円筒の内径の接線にて、一つまたは二つの対向する空気吸込み口を提供することは、吸入器本体のカプセル空洞内の渦巻きまたは渦気流パターンを誘発する。
【００４９】
一つ以上の空気吸込み口は、任意の適切なまたは有用な形状を有してもよい。一つ以上の空気吸込み口は、円筒形状または円形断面を有してもよい。一つ以上の空気吸込み口は、約０．８〜約１．２ｍｍの範囲の直径、または約１ｍｍの直径を有しうる。一つ以上の空気吸込み口は、機械的穿刺によって、またはレーザー穿孔によって形成されうる。
【００５０】
渦トンネルは、任意の有用な材料で形成されうる。例えば、渦トンネルはセルロースアセテートトウで形成されうる。渦トンネルは板紙または厚紙で形成されうる。渦トンネルは高分子材料で形成されうる。
【００５１】
渦トンネルは、中空のセルロースアセテートチューブ（「ＨＡＴ」と呼ばれる場合がある）から構築されうる。渦トンネルは、中空のセルロースアセテートチューブまたはセルロースアセテートトウの開いた円筒で形成されうる。渦トンネルの内径および外径のうちの少なくとも一つを紙で覆いうる。渦トンネルは、内径を覆う紙を有するセルロースアセテートトウの開いた円筒で形成されうる。渦トンネルは、外径を覆う紙を有するセルロースアセテートトウの開いた円筒で形成されうる。渦トンネルは、この渦トンネルの内径および外径の両方を覆う紙を有するセルロースアセテートトウの開いた円筒で形成されうる（ディフューザープラグと呼ばれる場合もある）。
【００５２】
カプセル空洞は、渦トンネルからすぐ下流にあってもよい。カプセル空洞は、渦トンネルに隣接してもよい。カプセル空洞は、軸方向に整列されて、渦トンネルと直列に配設されてもよい。渦トンネルは、カプセル空洞の上流端または遠位端または境界を形成しうる。
【００５３】
カプセル空洞は、カプセルを包含するように構成された円筒状の空間を画定しうる。カプセル空洞は、長円のまたは丸みのある長方形の形状を有するカプセルを受容するように構成された空間を画定しうる。カプセル空洞は、カプセル空洞の長さに沿って実質的に均一な、または均一な直径を有してもよい。カプセル空洞は、カプセル空洞の長さに沿って円形の横断面を有してもよい。カプセルは、円筒形状を有しうる。カプセルに対するカプセル空洞の構成は、カプセルがカプセル空洞内で安定性を有して回転することを可能にしてもよい。カプセルの長軸方向軸は、吸入中に吸入器本体の長軸方向軸を中心に安定性を有して回転してもよい。
【００５４】
安定な回転は、吸入器本体の長軸方向軸がカプセルの回転軸と実質的に平行であることを意味する。安定な回転は、回転するカプセルの前進の欠如を意味する場合がある。吸入器本体の長軸方向軸は、カプセルの回転の軸と実質的に同一の広がりを持つことが好ましい。カプセルの安定な回転は、消費者による二回以上、または五回以上、または十回以上の「吸煙」にわたって、カプセルからのニコチン粒子の一部分の均一な混入を提供してもよい。
【００５５】
カプセル空洞は、上流端または遠位端上で渦トンネルによって境界された、かつ下流端上で多孔性要素によって境界された、固定の空洞長さを有してもよい。カプセル空洞は、その中に包含されたカプセルの長さの少なくとも約１１０％〜約２００％未満の空洞の長さ、またはカプセルの長さの約１２０％〜約１３０％の空洞の長さ、またはカプセル長さの約１２５％の空洞の長さを有してもよい。空洞の長さは約１５ｍｍ〜約２５ｍｍの範囲内であってもよく、カプセルの長さは約１４ｍｍ〜約１８ｍｍの範囲であってもよく、または空洞の長さは約２０ｍｍであってもよく、カプセルの長さは約１６ｍｍであってもよい。
【００５６】
カプセル空洞は長軸方向軸と直交する空洞内径を有し、またカプセルはカプセル外径を有する。カプセル外径は空洞内径の約８０％〜約９９％の範囲内であってもよく、またはカプセル外径は空洞内径の約８５％〜約９５％の範囲内であってもよく、またはカプセル外径は空洞内径の約９０％であってもよい。カプセル外径は約５．４ｍｍ〜約６．４ｍｍの範囲であってもよく、空洞内径は約６ｍｍ〜約７ｍｍの範囲であってもよい。
【００５７】
カプセル空洞は、上流遠位側面上で渦トンネルによって境界されてもよく、かつ下流またはマウスピース側面上で多孔性支持要素によって境界されてもよい。渦トンネルおよび多孔性支持要素は、カプセルをカプセル空洞内で長軸方向に包含するように協働しうる。多孔性支持要素は細長い吸入器本体の内径を占めてもよい。多孔性支持要素は、気流が細長い吸入器本体の断面に沿って、多孔性支持要素を通して均一な気流を呈することを可能にしうる。多孔性支持要素は、乱流効果または周縁効果を低減し、かつカプセル空洞を通して所望の気流パターンを確保または維持するように、ディフューザーとして機能してもよい。  多孔性支持要素は、貫通要素が遠位端で吸入器物品に受容され、カプセルを貫通してカプセルを有効化する際に、カプセルに支持を提供することによるなど、カプセルの有効化中にカプセル空洞の内側のカプセルを支持しうる。
【００５８】
多孔性支持要素は、吸入器本体の長軸方向軸に沿って延びる長さを有してもよい。多孔性支持要素は、約５ｍｍ〜約１０ｍｍなど、任意の適切な長さを有しうる。多孔性支持要素は吸入器本体の内径を実質的に占めてもよい。多孔性支持要素は、吸入器本体の内径との摩擦嵌めを形成するために十分な外径を有してもよい。多孔性支持要素は、約７ｍｍ〜約８ｍｍの範囲の外径を有しうる。
【００５９】
多孔性支持要素は、非常に低い引き出し抵抗（ＲＴＤ）を有してもよい。例えば、多孔性支持要素は、約２０水柱ｍｍ未満、約１０水柱ｍｍ未満または約１水柱ｍｍ未満のＲＴＤを有してもよい。
【００６０】
多孔性支持要素はフィルター要素を画定してもよい。フィルター要素は低効率の濾過材料を含みうる。言い換えれば、フィルター要素は、カプセルから放出された粒子が、実質的に抑制されずにまたは妨げられずにカプセル空洞からマウスピース端に通過することを可能にしうる。濾過材料は概して高多孔性材料である。フィルター要素は繊維の網状組織で形成されてもよい。繊維の網状組織は不織繊維要素であってもよい。多孔性支持要素は濾過材料のプラグであってもよい。多孔性支持要素を形成する繊維は、ポリ乳酸に由来するものであってもよい。多孔性支持要素を形成する繊維は、セルロースアセテートであってもよい。フィルター要素はセルロースアセテートのプラグまたはポリ乳酸のプラグであってもよい。
【００６１】
一部の実施形態において、多孔性支持要素はメッシュを含みうる。メッシュは任意の適切な材料で形成されてもよく、例えば多孔性支持要素はメッシュを含んでもよい。メッシュは、任意の適切な数の穴または穴の網状組織、および任意の適切なサイズおよび形状の穴を有しうる。メッシュは約１ｍｍ2〜約４ｍｍ2、または約２ｍｍ2の穴を有してもよい。
【００６２】
カプセルは消費の前に、吸入器物品内に密封されていてもよい。輸送および保管のために、吸入器物品は、密封されたまたは気密の容器または袋の中に包含されていてもよい。吸入器物品は、吸入器物品の一つ以上の空気吸込み口チャネル、または空気出口、もしくはマウスピースを覆うための、一つ以上の剥離可能なシール層を含みうる。これは、吸入器物品が適切な衛生および新鮮さを維持することを確実にしうる。
【００６３】
カプセルは、空気が吸入器物品を通して引き出される時に、その長軸方向軸または中央軸を中心に回転してもよい。カプセルは、カプセル内部の粒子を実質的に包含する気密材料で形成されてもよい。カプセルは、カプセルがカプセル空洞内にある時に、貫通要素によって貫通または穿孔されるように構成されうる。貫通要素は、吸入器物品と別個でもよく、または組み合わされてもよい。カプセルは任意の適切な材料で形成されうる。カプセルは金属材料または高分子材料で形成されてもよく、この材料は汚染物質をカプセルに入れないように機能するが、カプセル内からのニコチン粒子の放出を可能にするために消費前に貫通要素によって貫通または穿孔されることができる。カプセルは高分子材料で形成されてもよい。高分子材料はヒドロキシプロピルメチルセルロース（ＨＰＭＣ）であってもよい。カプセルは任意の適切なサイズを有しうる。カプセルはサイズ１〜サイズ４のカプセル、またはサイズ３のカプセルであってもよい。
【００６４】
システムは、金属または剛直な針などの別個の貫通要素を備えうる。貫通物品は、カプセル空洞内に受容されたカプセルを通して単一の開口部を形成する。貫通要素は、エンドピース要素を通過し、渦トンネルの空気通路を通ってカプセル空洞の中に入るように構成されうる。一部の実施形態において、エンドピース要素は、貫通要素が吸入器物品から引き出された後に再密封可能でありうる。一部の実施形態において、吸入器物品は、貫通要素が吸入器物品から引き出された後に、エンドピース要素を密封するための再密封可能な要素を備えてもよい。
【００６５】
カプセルは典型的に、ニコチンを含むニコチン粒子（「ニコチン粉末」または「ニコチン粒子」とも呼ばれる）、および随意に、風味を含む粒子（「風味粒子」とも呼ばれる）を含有する。カプセルは所定の量のニコチン粒子および随意の風味粒子を含有してもよい。カプセルは、少なくとも２回の吸入もしくは「吸煙」、または少なくとも約５回の吸入もしくは「吸煙」、または少なくとも約１０回の吸入もしくは「吸煙」を提供するのに十分なニコチン粒子を含有してもよい。カプセルは、約５〜５０回の吸入もしくは「吸煙」、または約１０〜３０回の吸入もしくは「吸煙」を提供するのに十分なニコチン粒子を含みうる。各々の吸入もしくは「吸煙」は、約０．１ｍｇ〜約３ｍｇのニコチン粒子をユーザーの肺に、または約０．２ｍｇ〜約２ｍｇのニコチン粒子をユーザーの肺に、または約１ｍｇのニコチン粒子をユーザーの肺に送達する場合がある。
【００６６】
ニコチン粒子は、採用された特定の製剤に基づいてニコチンの任意の適切なまたは有用な濃度を有してもよい。ニコチン粒子は、少なくとも約１重量％〜最高約３０重量％のニコチン、または約２重量％〜約２５重量％のニコチン、または約３重量％〜約２０重量％のニコチン、または約４重量％〜約１５重量％のニコチン、または約５重量％〜約１３重量％のニコチンを有してもよい。各々の吸入もしくは「吸煙」で、約５０〜約１５０マイクログラムのニコチンがユーザーの肺に送達されうることが好ましい。
【００６７】
カプセルは、少なくとも約５ｍｇのニコチン粒子、または少なくとも約１０ｍｇのニコチン粒子を保持または含有しうる。カプセルは約９００ｍｇ未満のニコチン粒子、または約３００ｍｇ未満のニコチン粒子、または１５０ｍｇ未満のニコチン粒子を保持または含有しうる。カプセルは、約５ｍｇ〜約３００ｍｇのニコチン粒子、または約１０ｍｇ〜約２００ｍｇのニコチン粒子を保持または含有しうる。
【００６８】
カプセルの中で風味粒子がニコチン粒子とブレンドされたまたは組み合わせられた時に、ユーザーに送達される毎回の吸入もしくは「吸煙」に所望の風味を提供する量の風味粒子が存在しうる。
【００６９】
ニコチン粒子は、ユーザーの肺の中に優先的に吸入送達するために有用な任意のサイズ分布を有してもよい。カプセルはニコチン粒子以外の粒子を含みうる。ニコチン粒子およびその他の粒子は粉末システムを形成しうる。
【００７０】
カプセルは、少なくとも約５ｍｇの乾燥粉末（粉末システムとも呼ばれる）または少なくとも約１０ｍｇの乾燥粉末を保持または含有しうる。カプセルは、約９００ｍｇ未満の乾燥粉末、または約３００ｍｇ未満の乾燥粉末、または約１５０ｍｇ未満の乾燥粉末を保持または含有しうる。カプセルは、約５ｍｇ〜約３００ｍｇの乾燥粉末、または約１０ｍｇ〜約２００ｍｇの乾燥粉末を保持または含有しうる。
【００７１】
乾燥粉末または粉末システムは、約１０マイクロメートル未満、または約５マイクロメートル未満、または約１マイクロメートル〜約３マイクロメートルの範囲内の粒子サイズを有するニコチン粒子から成る粉末システムの少なくとも約４０重量％、または少なくとも約６０重量％、または少なくとも約８０重量％を有してもよい。
【００７２】
ニコチンを含む粒子は、約５マイクロメートル以下の空気動力学的中央粒子径、または約０．５マイクロメートル〜約４マイクロメートルの範囲内の空気動力学的中央粒子径、または約１マイクロメートル〜約３マイクロメートルの範囲内の空気動力学的中央粒子径、または約１．５マイクロメートル〜約２．５マイクロメートルの範囲内の空気動力学的中央粒子径を有してもよい。空気動力学的中央粒子径は、カスケードインパクターで測定することが好ましい。
【００７３】
風味を含む粒子は、約２０マイクロメートル以上の空気動力学的中央粒子径、または約５０マイクロメートル以上の空気動力学的中央粒子径、または約５０〜約２００マイクロメートルの範囲内の空気動力学的中央粒子径、または約５０〜約１５０マイクロメートルの範囲内の空気動力学的中央粒子径を有してもよい。空気動力学的中央粒子径は、カスケードインパクターで測定することが好ましい。
【００７４】
乾燥粉末は、約６０マイクロメートル以下の中央粒子径、または約１マイクロメートル〜約４０マイクロメートルの範囲内の中央粒子径、または約１．５マイクロメートル〜約２５マイクロメートルの範囲内の中央粒子径を有してもよい。中央粒子径は質量あたりの中央粒子径を意味し、またレーザー回折、レーザー拡散、または電子顕微鏡によって測定されることが好ましい。
【００７５】
粉末システム中のニコチンまたはシステム中のニコチン粒子は、医薬品として許容可能な遊離塩基ニコチン、またはニコチン塩もしくはニコチン塩水和物であってもよい。適切なまたは有用なニコチン塩またはニコチン塩水和物には例えば、ピルビン酸ニコチン、クエン酸ニコチン、アスパラギン酸ニコチン、乳酸ニコチン、重酒石酸ニコチン、サリチル酸ニコチン、フマル酸ニコチン、モノ−ピルビン酸ニコチン、グルタミン酸ニコチン、またはニコチン塩酸塩が挙げられる。ニコチンと結合して塩または塩水和物を形成する化合物は、その予想される薬理学的効果に基づいて選ばれてもよい。
【００７６】
ニコチン粒子はアミノ酸を含むことが好ましい。アミノ酸はＬ−ロイシンなどのロイシンであってもよいことが好ましい。ニコチンを含む粒子にＬ−ロイシンなどのアミノ酸を提供することは、ニコチンを含む粒子の接着力を低減する場合があり、またニコチン粒子間の引力を低減し、それ故にニコチン粒子の凝集を低減する場合がある。同様に、風味を含む粒子に対する接着力も低減する場合があり、それ故にニコチン粒子の風味粒子との凝集も低減する。それ故に、本明細書に記載の粉末システムは自由流動材料であってもよく、またニコチン粒子と風味粒子が組み合わせられる時でも、各々の粉末構成成分の安定した相対的な粒子サイズを有する場合がある。
【００７７】
ニコチンは表面修飾したニコチン塩であってもよいことが好ましく、その場合、ニコチン塩粒子は被覆された粒子または複合粒子を含む。好ましい被覆材料または複合材料はＬ−ロイシンであってもよい。一つの特に有用なニコチン粒子は、Ｌ−ロイシンを含む重酒石酸ニコチンであってもよい。
【００７８】
粉末システムは風味粒子を含んでもよい。風味粒子は、選択的にユーザーの口または口腔の中に吸入送達するために有用な任意のサイズ分布を有してもよい。
【００７９】
粉末システムは、約２０マイクロメートル以上の粒子サイズの粒子から成る粉末システムの風味の少なくとも約４０重量％、または少なくとも約６０重量％、または少なくとも約８０重量％を有してもよい。粉末システムは、約５０マイクロメートル以上の粒子サイズの粒子から成る粉末システムの風味の少なくとも約４０重量％、または少なくとも約６０重量％、または少なくとも約８０重量％を有してもよい。粉末システムは、約５０マイクロメートル〜約１５０マイクロメートルの範囲内の粒子サイズの粒子から成る粉末システムの風味の少なくとも約４０重量％、または少なくとも約６０重量％、または少なくとも約８０重量％を有してもよい。
【００８０】
風味剤または風味は、固体の風味として（摂氏約２２度の室温および１気圧で）提供されてもよく、風味製剤、風味含有材料および風味前駆体を含んでもよい。風味剤は、一つ以上の天然風味剤、一つ以上の合成風味剤、または天然風味剤と合成風味剤との組み合わせを含んでもよい。本明細書に記載の風味剤は、ニコチン構成要素の味覚特性または芳香特性をその消費中または吸入中に変化させるために、または変化させることを意図するために選択および利用される感覚刺激性の化合物、組成物、または材料である。
【００８１】
風味剤または風味は、天然起源または合成起源のさまざまな風味材料を指す。これらには、単一の化合物および混合物が含まれる。風味または風味剤は、消費中にニコチン構成要素の体験を高める場合がある風味特性を有する。風味は、可燃性喫煙物品の喫煙の結果から得られるものと類似の体験を提供するように選ばれてもよい。例えば、風味または風味剤は、口充足感および複雑さなどの風味特性を高める場合がある。複雑さは、単一の感覚属性が支配的になることなく、より豊かな風味の全体的なバランスが取れていることとして、一般的に知られている。口充足感は、消費者の口および喉の中での豊かさと量の知覚として説明される。
【００８２】
適切な風味には例えば、たばこ、煙、メントール、ミント（ペパーミントおよびスペアミントなど）、チョコレート、甘草、柑橘類およびその他の果実風味、ガンマ八量体、バニリン、エチルバニリン、口臭消臭風味、スパイス風味（シナモンなど）、サルチル酸メチル、リナロール、ベルガモット油、ゼラニウム油、レモン油、およびジンジャー油、およびこれに類するものなどの任意の天然風味または合成風味が含まれるが、これらに限定されない。
【００８３】
その他の適切な風味には、酸、アルコール、エステル、アルデヒド、ケトン、ピラジン、これらの組み合わせまたはブレンド、およびこれに類するものから成る群から選択される風味化合物が含まれてもよい。適切な風味化合物は例えば、フェニル酢酸、ソラノン、メガスチグマトリエノン、２−ヘプタノン、ベンジルアルコール、ｃｉｓ−３−ヘキセニルアセタート、吉草酸、吉草酸アルデヒド、エステル、テルペン、セスキテルペン、ノートカトン、マルトール、ダマセノン、ピラジン、ラクトン、アネトール、イソ吉草酸、その組み合わせ、およびこれに類するものから成る群から選択されてもよい。
【００８４】
風味のさらなる特定の実施例は、現在の文献から見いだされる場合があり、また風味付け、すなわち臭いまたは味覚を製品に付与する当業者に周知である。
【００８５】
風味剤は力価の高い風味剤であってもよく、吸入気流内で結果的に２００ｐｐｍ未満となるレベルで使用・検出される場合がある。こうした風味剤の例は、β−ダマセノン、２−エチル−３，５−ジメチルピラジン、フェニルアセトアルデヒド、グアイアコール、およびフラネオールなどの主なたばこ芳香化合物である。その他の風味剤は、より高い濃度レベルで人間によってのみ感知されうる。本明細書で力価がより低い風味剤と呼ばれるこれらの風味剤は一般に、吸入空気内に放出される風味剤が結果的に、桁違いに多い量のレベルで使用される。力価のより低い適切な風味剤には例えば、天然メントールまたは合成メントール、ペパーミント、スペアミント、コーヒー、茶、スパイス（シナモン、クローブ、およびショウガなど）、ココア、バニラ、果実風味、チョコレート、ユーカリ、ゼラニウム、オイゲノール、およびリナロールが含まれるが、これらに限定されない。
【００８６】
風味を含む粒子は、接着力または表面エネルギーおよび結果としてもたらされる凝集を低減する化合物を含んでもよい。風味粒子は接着力低減化合物を用いて表面修飾されて、被覆された風味粒子を形成してもよい。一つの好ましい接着力低減化合物は、ステアリン酸マグネシウムであってもよい。ステアリン酸マグネシウムなどの接着力低減化合物を風味粒子に提供すること、特に風味粒子を被覆することは、風味を含む粒子の接着力を低減する場合があり、また風味粒子の間の引力を低減し、それ故に風味粒子の凝集を低減する場合がある。それ故に、ニコチン粒子を有する風味粒子の凝集も低減する場合がある。それ故に、本明細書に記載の粉末システムは、ニコチン粒子と風味粒子が組み合わせられる時でも、ニコチンを含む粒子と風味を含む粒子の安定した相対的な粒子サイズを有してもよい。粉末システムは自由流動であってもよいことが好ましい。
【００８７】
乾燥粉末吸入用の従来的な製剤は、活性粒子が吸入器を通る単純な気流による影響を受けるには小さすぎる場合があるため、活性粒子の流動化を増大するように機能する担体粒子を含有する。粉末システムは担体粒子を含んでもよい。これらの担体粒子は、約５０マイクロメートル超の粒子サイズでありうるラクトースまたはマンニトールなどのサッカリドであってもよい。担体粒子は製剤中で希釈剤または膨化剤として作用することによって、用量の均一性を改善するために利用されうる。
【００８８】
ニコチン粒子と風味は、単一のカプセル内に組み合わせられてもよい。上述の通り、ニコチン粒子および風味はそれぞれ、低減された接着力を有してもよく、それらが安定な粒子製剤をもたらし、この場合ではニコチンを含む粒子と風味含む粒子が組み合わせられた時に各構成要素の粒子サイズは実質的に変化しない。別の方法として、粉末システムは、単一のカプセルの中に含有されたニコチン粒子と、第二のカプセルの中に含有された風味粒子とを含む。
【００８９】
ニコチン粒子および風味粒子は、ニコチン粒子とともに消費された時にユーザーが風味粒子を検知するように、任意の有用な相対的な量で組み合わせられてもよい。ニコチン粒子および風味粒子は、粉末システムの全重量の少なくとも約９０重量％、または少なくとも約９５重量％、または少なくとも約９９重量％、または１００重量％を形成することが好ましい。
【００９０】
吸入器および吸入器システムは、従来の乾燥粉末吸入器と比較して、より複雑ではなく、また単純化された気流経路を有する。有利なことに、吸入器本体の中のカプセルの回転は、ニコチン粒子または粉末システムをエアロゾル化し、また自由流動粉末の維持を支援する場合がある。それ故に、吸入器物品は、上述のニコチン粒子を肺に深く送達するために、従来の吸入器によって典型的に利用される高い吸入量を必要としない場合がある。
【００９１】
吸入器物品は、約５Ｌ／分未満、または約３Ｌ／分未満、または約２Ｌ／分、または約１．６Ｌ／分未満の流量を使用してもよい。流量は、約１Ｌ／分〜約３Ｌ／分または約１．５Ｌ／分〜約２．５Ｌ／分の範囲内であってもよいことが好ましい。吸入量または流量は、カナダ保健省（Ｈｅａｌｔｈ  Ｃａｎａｄａ）の喫煙方法の流量と同様であってもよく、すなわち約１．６Ｌ／分であってもよいことが好ましい。
【００９２】
吸入器は、従来の紙巻たばこの喫煙または電子たばこのベイピングのように、消費者によって使用されてもよい。こうした喫煙またはベイピングは二つの工程によって特徴付けられることができ、第一の工程では、消費者が所望するニコチンの全量を含有する少量が口腔の中に引き出され、それに続く第二の工程では、所望の量のニコチンを含むエアロゾルを含むこの少量が新鮮な空気によってさらに希釈され、肺の中により深く引き出される。どちらの工程も消費者によって制御される。第一の吸入工程中に、消費者は吸入されるニコチンの量を決定してもよい。第二の工程中に、消費者は肺の中により深く引き出される第一の量を希釈するための量を決定してもよく、気道の上皮表面に送達される活性剤の濃度が最大化される。この喫煙のメカニズムは時に、「吸煙−吸入−吐出」と呼ばれる。
【００９３】
本明細書で使用されるすべての科学的および技術的な用語は、別途指定のない限り、当業界で一般に使用される意味を有する。本明細書で提供されている定義は、本明細書で頻繁に使用される特定の用語の理解を容易にするために提供されている。
【００９４】
「上流」および「下流」という用語は、吸入気流が吸入器の本体を通して遠位端部分または渦トンネルからマウスピース部分に引き出される際の吸入気流の方向に関して説明された吸入器の要素の相対的な位置を意味する。
【００９５】
本明細書で使用される単数形（「一つの（ａ）」、「一つの（ａｎ）」、および「その（ｔｈｅ）」）は、複数形の対象を有する実施形態を包含するが、その内容によって明らかに別途定められている場合はその限りではない。
【００９６】
本明細書で使用される「または」は概して、「および／または」を含む意味で使用されるが、その内容によって明らかに別途定められている場合はその限りではない。「および／または」という用語は、列挙された要素の一つもしくはすべて、または列挙された要素のうちの任意の二つ以上の組み合わせを意味する。
【００９７】
本明細書で使用される「有する、持つ（ｈａｖｅ）」、「有している、持っている（ｈａｖｉｎｇ）」、「含む（ｉｎｃｌｕｄｅ）」、「含まれる（ｉｎｃｌｕｄｉｎｇ）」、「備える（ｃｏｍｐｒｉｓｅ）」、「備える（ｃｏｍｐｒｉｓｉｎｇ）」、またはこれに類するものは制約のない意味で使用され、概して「含むが、これに限定されない」を意味する。当然のことながら、「から本質的に成る（ｃｏｎｓｉｓｔｉｎｇ  ｅｓｓｅｎｔｉａｌｌｙ  ｏｆ）」、「から成る（ｃｏｎｓｉｓｔｉｎｇ  ｏｆ）」、およびこれに類するものは、「含む（ｃｏｍｐｒｉｓｉｎｇ）」およびこれに類するものに包摂される。
【００９８】
「好ましい」および「好ましくは」という語は特定の状況下で、特定の利点をもたらす場合がある本発明の実施形態を指す。しかしながら、同一の状況下または他の状況下で、他の実施形態もまた好ましいものである場合がある。その上、一つ以上の好ましい実施形態の列挙は、その他の実施形態が有用ではないことを暗示するものではなく、また特許請求の範囲を含む本開示の範囲からその他の実施形態を除外することを意図しない。
【図面の簡単な説明】
【００９９】
【図１】図１は、例示的な吸入器物品の斜視図である。
【図２】図２は、長軸方向軸に沿った、図１の例示的な吸入器物品の概略断面図である。
【図３】図３は、軸方向軸に沿った例示的な渦トンネルの断面概略図である。
【図４】図４は、二部分から成る例示的な吸入器物品の斜視図である。
【図５】図５は、長軸方向軸に沿った、図４の例示的な吸入器物品の概略断面図である。
【０１００】
概略図は必ずしも実寸に比例するものではなく、図示の目的で提示されるものであり、限定するものではない。図面は本開示で説明される一つ以上の態様を描写する。しかしながら、当然のことながら、図面に描写されていないその他の態様も本開示の範囲および趣旨の中に収まる。
【発明を実施するための形態】
【０１０１】
図１および図２は、例示的な吸入器物品１００を図示する。図２は、長軸方向軸ＬAに沿った、図１の例示的な吸入器物品１００の概略断面図である。図３は、長軸方向軸ＬAに沿った例示的な渦トンネル１５０の断面概略図である。吸入器物品１００は、長軸方向軸ＬAに沿って、マウスピース端１１２から遠位端１１４に延びる本体１１０と、本体１１０内に画定されたカプセル空洞１１６とを含む。
【０１０２】
マウスピース空気チャネル１１１は、カプセル空洞１１６からマウスピース端１１２に延びる。エンドピース要素１２０は、遠位端１１４内に配置されていて、渦トンネル１５０に延びる。エンドピース要素１２０は、エンドピース要素１２０を通る気流を制限または防止するように構成されている。この実施形態において、エンドピース要素１２０は、セルロースアセテートトウの本体で形成されていて、１ミリメートル当たり少なくとも１００水柱ｍｍの高い引き出し抵抗（ＲＴＤ）を有する。
【０１０３】
渦トンネル１５０は本体１１０内に配置されていて、カプセル空洞１１６に延びる。渦トンネル１５０は、内表面１５２によって画定された内径Ｄ1と、外表面１５１によって画定された外径Ｄ2とを有する。内表面１５２によって画定された内径Ｄ1は、開いた円筒の形態の空気通路１５５を形成する。
【０１０４】
渦トンネル１５０は、渦トンネル１５０の外表面１５１から空気通路１５５に延びる二つの空気吸込み口または空気チャネル１１３を含みうる。渦トンネル１５０は、吸入器物品１００の反対側にて、空気通路１５５と連通する二つの空気吸込み口１１３を含む。二つの対向する空気吸込み口１１３は、渦トンネル１５０の外表面１５１と内表面１５２の間で、開いた円筒１５５の内径Ｄ1の接線にて、空気通路１５５に実質的に直線的に延びる。内表面１５２にある二つの対向する空気吸込み口１１３の開口は整列していなく、特にこの実施形態において、二つの対向する空気吸込み口１１３は、渦トンネル１５０および吸入器物品１００の中央長軸方向軸ＬAの反対側で延びる軸に沿って、実質的に平行な方向に延びる。開いた円筒１５５の内径Ｄ1の接線にて二つの対向する空気吸込み口１１３を提供することは、  吸入器本体１１０のカプセル空洞１１６内に渦巻きまたは渦の気流パターンを誘発する。
【０１０５】
渦トンネル１５０および多孔性支持要素１４０は、カプセル空洞１１６と境を接している。カプセル１３０は空洞１１６内に配置されうる。カプセル１３０はニコチンを含む粒子を含有する。渦トンネル１５０および多孔性支持要素１４０は、カプセル１３０をカプセル空洞１１６内に長軸方向に包含するように協働する。マウスピース端１１２は、本体１１０がマウスピース端１１２にて開放空間と境を接する、陥凹した端を有する状態で図示されている。別の方法として、多孔性支持要素１４０はマウスピース端１１２全体を占めるようにマウスピース端１１２に延びてもよい。カプセル１３０は、長軸方向軸ＬAと同延である回転軸をカプセル空洞内に有する。
【０１０６】
別個の貫通要素（図示せず）を利用して、消費者はエンドピース要素１２０を貫通させ、カプセル空洞１１６内に包含されたカプセル１３０を穿孔しうる。ユーザーまたは消費者が吸入器物品１００を吸う前に、貫通要素は吸入器物品１００およびエンドピース要素１２０から引き出されうる。消費者は次に吸入器物品１００を吸って、吸入器を利用しうる。貫通要素はエンドピース要素１２０に開口を作るが、これは典型的には、エンドピース要素１２０の引き出し抵抗を著しく減少させない小さい開口である。一部の実施形態において、エンドピース要素１２０は、貫通要素が前記エンドピース要素１２０から引き出された後に再密封可能である。
【０１０７】
図４は、ラッパー１６０が、二部分から成る吸入器物品１０１から部分的に解かれている、例示的な二部分から成る吸入器物品１０１の斜視図である。図５は、ラッパーが二部分の周りに巻かれている、長軸方向軸ＬAに沿った、図４の例示的な吸入器物品１０１の概略断面図である。
【０１０８】
吸入器物品１０１は、長軸方向軸ＬAに沿ってマウスピース端１１２から遠位端１１４に延びる第一の部分１０２および第二の部分１０３から形成された本体１１０と、本体１１０内に画定されたカプセル空洞１１６とを含む。ラッパー１６０は、第一の部分１０２および第二の部分１０３を囲み、第一の部分１０２を第二の部分１０３に接合する。ラッパー１６０は、紙または高分子フィルムであってもよい。ラッパー１６０は、空気吸込み口  １１３と整列している穴１６２を含む。整列した穴１６２および空気吸込み口１１３は、物品１０１の組立後に、レーザー源を使用するレーザー穿孔によって同時に作られる。
【０１０９】
第一の部分１０２は、マウスピース空気チャネル１１１および多孔性支持要素１４０を包含する。第二の部分１０３は、エンドピース要素１２０、渦トンネル１５０、カプセル空洞１１６、およびカプセル１３０を包含する。この実施形態において、第一の部分１０２および第二の部分１０３は別個に組み立てられ、その後、長軸方向軸ＬAに沿って隣接する直列の整列になる。その後、ラッパー１６０が、第一の部分１０２および第二の部分１０３を囲んで第一の部分１０２を第二の部分１０３に接合し、吸入器物品１０１を形成するように、ラッパー１６０は第一の部分１０２および第二の部分１０３の周りに巻かれる。
【図１】
2021509297.tif 000003
【図２】
2021509297.tif 000004
【図３】
2021509297.tif 000005
【図４】
2021509297.tif 000006
【図５】
2021509297.tif 000007
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
吸入器物品であって、
マウスピース端から遠位端に長軸方向軸に沿って延びる本体と、
前記遠位端にあるエンドピース要素と、
前記本体内に画定された、かつ前記長軸方向軸に沿って延びるカプセル空洞と、
前記カプセル空洞から前記マウスピース端に延びるマウスピース空気チャネルと、
前記エンドピース要素と前記カプセル空洞の間の渦トンネルであって、前記渦トンネルが空気吸込み口および前記空気吸込み口から前記カプセル空洞に延びる空気通路を有し、前記渦トンネルが前記本体の内径と接触する外形を有し、前記渦トンネルの前記空気通路が前記渦トンネルの内径によって画定されており、前記渦トンネルの前記内径が前記本体の内径よりも小さい渦トンネルと、
前記カプセル空洞と前記マウスピース空気チャネルの間の多孔性要素とを備え、
前記エンドピース要素が、前記遠位端を通る前記カプセル空洞への気流を制限または防止するように構成されていて、
前記渦トンネルの前記空気吸込み口および空気通路が、前記カプセル空洞内に空気が引き出されることを可能にして、前記カプセル空洞を通した吸入空気の渦を形成するように構成されている、吸入器物品。
【請求項２】
前記マウスピース空気チャネルおよび多孔性要素が第一の本体部分内に包含されていて、前記カプセル空洞、渦トンネルおよびエンドピースが第二の本体部分内に包含されていて、前記第一の本体部分が前記第二の本体部分と直列に軸方向に整列されていて、ラッパーが前記第一の本体部分を覆い前記第二の本体部分に接合する、請求項１に記載の吸入器物品。
【請求項３】
前記エンドピース要素が、約１００水柱ｍｍよりも大きい引き出し抵抗（ＲＴＤ）を有する、請求項１〜２のいずれか一項に記載の吸入器物品。
【請求項４】
前記エンドピース要素が、セルロースおよびアセテート、繊維およびトウ、ならびにビスコース紙のうちの少なくとも一つで形成されている、請求項１〜３のいずれか一項に記載の吸入器物品。
【請求項５】
前記渦トンネルの内径が、前記渦トンネルの前記外径または前記本体の前記内径の約５０％〜約３５％の範囲である、請求項１〜４のいずれか一項に記載の吸入器物品。
【請求項６】
前記渦トンネルが、前記空気通路と連通する二つの空気吸込み口を備える、請求項１〜５のいずれか一項に記載の吸入器物品。
【請求項７】
前記渦トンネルが、開いた円筒を画定し、前記空気通路が前記開いた円筒の前記軸に沿って実質的に同軸に延び、前記渦トンネルが前記開いた円筒の前記内径の接線にて前記開いた円筒に入る二つの対向する空気吸込み口を備える、請求項１〜６のいずれか一項に記載の吸入器物品。
【請求項８】
前記本体が、実質的に円筒の形状と、前記遠位端から前記マウスピース端まで実質的に一定である外径とを有し、前記外径が約６ｍｍ〜約１０ｍｍ、または約７ｍｍ〜約８ｍｍの範囲内であることが好ましい、請求項１〜７のいずれか一項に記載の吸入器物品。
【請求項９】
前記エンドピース要素が、前記本体の前記長軸方向軸に沿って約５ｍｍ〜約１０ｍｍの範囲の長さだけ長軸方向に延び、前記渦トンネルが前記本体の前記長軸方向軸に沿って約５ｍｍ〜約１０ｍｍの範囲の長さだけ長軸方向に延びる、請求項１〜８のいずれか一項に記載の吸入器物品。
【請求項１０】
請求項１〜９のいずれか一項に記載の吸入器物品と、前記吸入器物品の前記カプセル空洞内に配置されたカプセルとを備え、前記カプセルが粒子を含有し、前記粒子が、約５マイクロメートル以下、または約０．５マイクロメートル〜約４マイクロメートルの範囲、または約１マイクロメートル〜約３マイクロメートルの範囲の空気動力学的中央粒子径を有する、吸入器システム。
【請求項１１】
前記カプセルがニコチンを含む粒子を含有する、請求項１０に記載のシステム。
【請求項１２】
前記カプセルが、約２０マイクロメートル以上、または約５０マイクロメートル以上、または約５０〜約２００マイクロメートルの範囲、または約５０〜約１５０マイクロメートルの範囲の空気動力学的中央粒子径を有する風味剤粒子の第二の集団をさらに含有する、請求項１０または請求項１１に記載のシステム。
【請求項１３】
前記システムが、前記カプセルを有効化するために前記吸入器物品と取り外し可能なように係合可能な貫通要素をさらに備え、前記エンドピース要素が、前記カプセルを有効化する時に前記貫通要素によって貫通されるように構成されている、請求項１０〜１２のいずれか一項に記載のシステム。
【国際調査報告】
2021509297.tif 000008
2021509297.tif 000009